【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、
所定条件の成立を契機として遊技者に有利な状態での遊技となる有利遊技状態に所定の単位期間に区切って制御する遊技制御手段と、
前記遊技制御手段が前記有利遊技状態に制御している場合に特典付与条件の成立に伴って遊技者に有利な特典を付与する特典付与制御手段と、を備え、
前記遊技制御手段は、一の前記単位期間の経過後にさらに単位期間にわたって前記有利遊技状態に継続して制御するかを決定する継続抽選を、該継続抽選の当選確率として設定された複数の継続当選確率のうち何れかの継続当選確率で行うようになっており、
前記特典付与制御手段は、前記継続当選確率のうち第１継続当選確率よりも低確率な第２継続当選確率で行われる継続抽選を経て継続された単位期間中にあっては直前の単位期間中よりも前記特典付与条件を高確率で成立させうるように制御することを特徴とする遊技機。
【請求項２】
前記特典付与条件は、前記図柄表示手段に特別の図柄の組み合わせが停止表示される場合に成立し、
前記特別の図柄の組み合わせは、前記１回の遊技が開始されるに際し複数の当選役の中から当選役を抽選する役抽選で特別当選役が決定される場合に停止表示されうるようになっており、
前記特典付与制御手段は、
前記特別当選役に当選して前記特別の図柄の組み合わせが停止表示されなかった次の遊技の開始を停滞させるとともに該停滞中に前記図柄表示手段における図柄を変動させてから前記特別の図柄の組み合わせを停止表示させる停滞中演出を行わせうるように構成され、
前記継続当選確率のうち第１継続当選確率よりも低確率な第２継続当選確率で行われる継続抽選を経て継続された単位期間中にあっては直前の単位期間中よりも前記停滞中演出を高確率で行わせうるように制御する請求項１に記載の遊技機。
【請求項３】
前記特典付与条件は、前記図柄表示手段に特別の図柄の組み合わせが停止表示される場合に成立し、
前記特別の図柄の組み合わせは、前記１回の遊技が開始されるに際し複数の当選役の中から当選役を抽選する役抽選で特別当選役が決定される場合に特定の操作が行われることで停止表示されうるようになっており、
前記特典付与制御手段は、
前記特別当選役に当選している場合、前記特別の図柄の組み合わせを停止表示させるための前記特定の操作を報知する報知演出を行わせうるように構成され、
前記継続当選確率のうち第１継続当選確率よりも低確率な第２継続当選確率で行われる継続抽選を経て継続された単位期間中にあっては直前の単位期間中よりも前記特別当選役に当選している場合に前記報知演出を高確率で行わせうるように制御する請求項１に記載の遊技機。
【請求項４】
前記特典付与制御手段は、前記継続当選確率のうち第１継続当選確率よりも低確率な第２継続当選確率で行われる継続抽選を経て継続されてからさらに継続された後の単位期間中にあっては直前の単位期間中よりも前記特典付与条件を低確率で成立させないように制御する請求項１〜請求項３のうちいずれか一項に記載の遊技機。
【手続補正２】
【補正対象書類名】明細書
【補正対象項目名】０００８
【補正方法】変更
【補正の内容】
【０００８】
上記目的を達成するために請求項１に記載の発明は、遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、所定条件の成立を契機として遊技者に有利な状態での遊技となる有利遊技状態に所定の単位期間に区切って制御する遊技制御手段と、前記遊技制御手段が前記有利遊技状態に制御している場合に特典付与条件の成立に伴って遊技者に有利な特典を付与する特典付与制御手段と、を備え、前記遊技制御手段は、一の前記単位期間の経過後にさらに単位期間にわたって前記有利遊技状態に継続して制御するかを決定する継続抽選を、該継続抽選の当選確率として設定された複数の継続当選確率のうち何れかの継続当選確率で行うようになっており、前記特典付与制御手段は、前記継続当選確率のうち第１継続当選確率よりも低確率な第２継続当選確率で行われる継続抽選を経て継続された単位期間中にあっては直前の単位期間中よりも前記特典付与条件を高確率で成立させうるように制御することを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記特典付与条件は、前記図柄表示手段に特別の図柄の組み合わせが停止表示される場合に成立し、前記特別の図柄の組み合わせは、前記１回の遊技が開始されるに際し複数の当選役の中から当選役を抽選する役抽選で特別当選役が決定される場合に停止表示されうるようになっており、前記特典付与制御手段は、前記特別当選役に当選して前記特別の図柄の組み合わせが停止表示されなかった次の遊技の開始を停滞させるとともに該停滞中に前記図柄表示手段における図柄を変動させてから前記特別の図柄の組み合わせを停止表示させる停滞中演出を行わせうるように構成され、前記継続当選確率のうち第１継続当選確率よりも低確率な第２継続当選確率で行われる継続抽選を経て継続された単位期間中にあっては直前の単位期間中よりも前記停滞中演出を高確率で行わせうるように制御する請求項１に記載の遊技機。
【手続補正４】
【補正対象書類名】明細書
【補正対象項目名】００１０
【補正方法】変更
【補正の内容】
【００１０】
請求項３に記載の発明は、請求項１に記載の遊技機において、前記特典付与条件は、前記図柄表示手段に特別の図柄の組み合わせが停止表示される場合に成立し、前記特別の図柄の組み合わせは、前記１回の遊技が開始されるに際し複数の当選役の中から当選役を抽選する役抽選で特別当選役が決定される場合に特定の操作が行われることで停止表示されうるようになっており、前記特典付与制御手段は、前記特別当選役に当選している場合、前記特別の図柄の組み合わせを停止表示させるための前記特定の操作を報知する報知演出を行わせうるように構成され、前記継続当選確率のうち第１継続当選確率よりも低確率な第２継続当選確率で行われる継続抽選を経て継続された単位期間中にあっては直前の単位期間中よりも前記特別当選役に当選している場合に前記報知演出を高確率で行わせうるように制御することを要旨とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項４に記載の発明は、請求項１〜請求項３のうちいずれか一項に記載の遊技機において、前記特典付与制御手段は、前記継続当選確率のうち第１継続当選確率よりも低確率な第２継続当選確率で行われる継続抽選を経て継続されてからさらに継続された後の単位期間中にあっては直前の単位期間中よりも前記特典付与条件を低確率で成立させないように制御することを要旨とする。
【手続補正７】
【補正対象書類名】明細書
【補正対象項目名】０２８７
【補正方法】変更
【補正の内容】
【０２８７】
・各実施形態は、遊技媒体として遊技球（パチンコ球）を用いるパチンコ式スロット機（パチスロ機）に具体化してもよい。
上記実施形態から把握できる技術的思想を以下に追記する。
（イ）遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、所定条件の成立を契機として遊技者に有利な状態での遊技となる有利遊技状態に所定の単位期間に区切って制御する遊技制御手段と、前記遊技制御手段が前記有利遊技状態に制御している場合に特典付与条件の成立に伴って遊技者に有利な特典を付与する特典付与制御手段と、を備え、前記遊技制御手段は、一の前記単位期間の経過後も前記有利遊技状態に継続して制御するかを決定する継続抽選を行うとともに該継続抽選の当選確率を継続可能とする上限分の前記単位期間毎に設定した複数の設定態様のうち何れかの前記設定態様を用いて前記継続抽選を行うようになっており、前記特典付与制御手段は、前記遊技制御手段により用いられている前記設定態様のうち最も低い当選確率で行われる前記継続抽選を経て継続された前記単位期間中にあっては直前の前記単位期間中よりも前記特典付与条件を高確率で成立させうるように制御することを特徴とする遊技機。
（ロ）前記特典付与条件は、前記図柄表示手段に特別の図柄の組み合わせが停止表示される場合に成立し、前記特別の図柄の組み合わせは、前記１回の遊技が開始されるに際し複数の当選役の中から当選役を抽選する役抽選で特別当選役が決定される場合に停止表示されうるようになっており、前記特典付与制御手段は、前記特別当選役に当選して前記特別の図柄の組み合わせが停止表示されなかった遊技後、最初の開始操作による遊技の開始を停滞させるとともに該停滞中に前記図柄表示手段における図柄を変動させてから前記特別の図柄の組み合わせを停止表示させる停滞中演出を行わせうるように構成され、前記遊技制御手段により用いられている前記設定態様のうち最も低い当選確率で行われる前記継続抽選を経て継続された前記単位期間中にあっては直前の前記単位期間中よりも前記停滞中演出を高確率で行わせうるように制御する技術的思想イに記載の遊技機。
（ハ）前記特典付与条件は、前記図柄表示手段に特別の図柄の組み合わせが停止表示される場合に成立し、前記特別の図柄の組み合わせは、前記１回の遊技が開始されるに際し複数の当選役の中から当選役を抽選する役抽選で特別当選役が決定される場合に特定の操作が行われることで停止表示されうるようになっており、前記特典付与制御手段は、前記特別当選役に当選している場合、前記特別の図柄の組み合わせを停止表示させるための前記特定の操作を報知する報知演出を行わせうるように構成され、前記遊技制御手段により用いられている前記設定態様のうち最も低い当選確率で行われる前記継続抽選を経て継続された前記単位期間中にあっては直前の前記単位期間中よりも前記特別当選役に当選している場合に前記報知演出を高確率で行わせうるように制御する技術的思想イに記載の遊技機。
（ニ）前記特典付与制御手段は、前記遊技制御手段により用いられている前記設定態様のうち最も低い当選確率が他の前記設定態様で設定されるうち最も低い当選確率として設定されていない場合に直前の前記単位期間中よりも前記特典付与条件を高確率で成立させうる対象としない技術的思想イ〜技術的思想ハのうちいずれか一項に記載の遊技機。
（ホ）前記特典付与制御手段は、前記遊技制御手段により用いられている前記設定態様のうち最も低い当選確率で行われる前記継続抽選を経て継続されてからさらに継続された後の前記単位期間中にあっては直前の前記単位期間中よりも前記特典付与条件を低確率で成立させないように制御する技術的思想イ〜技術的思想ニのうちいずれか一項に記載の遊技機。